【事件の表示】
　特許第２９６７８３１号「内視鏡システム」の請求項１に係る特許に対する特許異議の申立てについて、次のとおり決定する。
【結　論】
　訂正を認める。
　特許第２９６７８３１号の請求項１に係る特許を取り消す。
【理　由】
１．手続の経緯
　特許第２９６７８３１号の請求項１に係る発明についての出願は、平成２年１月１０日に特許出願され、平成１１年８月２０日にその発明について特許権の設定登録がなされ、その後、その特許について、異議申立人富士写真光機株式会社により特許異議の申立てがなされ、平成１２年６月２８日に取消しの理由が通知され、その指定期間内である平成１２年９月２５日に訂正請求がなされたものである。
　
２．訂正の適否についての判断
（１）訂正の内容
ア．訂正事項ａ
「被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設するケーブル部と、を有する第１の内視鏡用外付けテレビジョンカメラと、
前記第１の内視鏡用外付けテレビジョンカメラのケーブル部より長さの短いケーブル部を有すると共に、前記駆動側信号線または出力側信号線の少なくとも一方の信号線の長さを前記第１の内視鏡用外付けテレビジョンカメラ内に設けられた長さと同一の長さとして内部に配設した第２の内視鏡用外付けテレビジョンカメラと、
を有し、前記第１または第２の内視鏡用外付けテレビジョンカメラを共通のビデオプロセッサに選択的に接続して使用することを特徴とする内視鏡システム。」とある特許請求の範囲の請求項１の記載を、
「
内視鏡の接眼部からの
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
前記第１の内視鏡用外付けテレビジョンカメラとは異なる
を有し、前記第１または第２の内視鏡用外付けテレビジョンカメラを共通のビデオプロセッサに選択的に接続して使用することを特徴とする内視鏡システム。」と訂正する。
イ．訂正事項ｂ
　明細書第７頁第１行〜同頁第１１行（特許公報第２頁第４欄第３２〜５０行）の記載について、「本発明による〜ことを特徴とする。」とあるのを、「本発明による内視鏡システムは、
内視鏡の接眼部からの
　
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
前記第１の内視鏡用外付けテレビジョンカメラとは異なる
　を有し、前記第１または第２の内視鏡用外付けテレビジョンカメラを共通のビデオプロセッサに選択的に接続して使用することを特徴とする。」と訂正する。
（２）訂正の目的の適否、新規事項の有無及び拡張・変更の存否
ア．上記訂正事項ａについて
　特許請求の範囲の請求項１に記載された「第１の内視鏡用外付けテレビジョンカメラ」の内容について、「被写体像を電気信号に変換して出力する撮像素子を有するヘッド部」が「
内視鏡の接眼部からの
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
前記第１の内視鏡用外付けテレビジョンカメラとは異なる
　前記「被写体像を電気信号に変換して出力する撮像素子を有するヘッド部」が「
内視鏡の接眼部からの
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
前記第１の内視鏡用外付けテレビジョンカメラとは異なる
　なお、上記訂正事項ａ中に、「複数の出力側信号線とビデオプロセッサ側に接続するためのコネクタ部」という記載があり、訂正前の「複数の出力側信号線をビデオプロセッサ側に接続するためのコネクタ部」という記載から変わっているが、この部分の記載は、「複数の出力側信号線をビデオプロセッサ側に接続するためのコネクタ部」の誤記と認められる。
イ．上記訂正事項ｂについて
　上記訂正事項ｂは、上記訂正事項ａと整合を図るものであるから、明瞭でない記載の釈明を目的とした明細書の訂正に該当し、新規事項の追加に該当せず、実質的に特許請求の範囲を拡張又は変更するものではない。
　なお、上記訂正事項ｂ中にも、「複数の出力側信号線とビデオプロセッサ側に接続するためのコネクタ部」という記載があり、訂正前の「複数の出力側信号線をビデオプロセッサ側に接続するためのコネクタ部」という記載から変わっているが、この部分の記載は、「複数の出力側信号線をビデオプロセッサ側に接続するためのコネクタ部」の誤記と認められる。
（３）むすび
　したがって、上記訂正は、平成１１年改正前の特許法第１２０条の４第２項及び同条第３項において準用する特許法第１２６条第２項から第４項までの規定に適合するので、当該訂正を認める。
　
３．特許異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された次のとおりのものである。
「内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設するケーブル部と、を有する第１の内視鏡用外付けテレビジョンカメラと、
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、前記第１の内視鏡用外付けテレビジョンカメラの前記ケーブル部より長さの短いケーブル部を有すると共に、前記駆動側信号線または出力側信号線の少なくとも一方の信号線の長さを前記第１の内視鏡用外付けテレビジョンカメラ内に設けられた長さと同一の長さとして前記ケーブルの内部に配設した、前記第１の内視鏡用外付けテレビジョンカメラとは異なる第２の内視鏡用外付けテレビジョンカメラと、
を有し、前記第１または第２の内視鏡用外付けテレビジョンカメラを共通のビデオプロセッサに選択的に接続して使用することを特徴とする内視鏡システム。」
　ただし、「複数の出力側信号線とビデオプロセッサ側に接続するためのコネクタ部」部分の記載は、誤記と認められるので、「複数の出力側信号線をビデオプロセッサ側に接続するためのコネクタ部」とした。
（２）引用刊行物に記載された発明
　当審が平成１２年６月２８日付けで通知した取消しの理由で引用した刊行物は以下のとおりであり、特許異議申立人が提示した甲第１号証、甲第２号証に対応している。
　刊行物１：特開昭６３−２３８８４１号公報（甲第１号証）
　刊行物２：特開昭６３−２００７３４号公報（甲第２号証）
ア．上記刊行物１には、「内視鏡装置」（発明の名称）に関し、「ところで、前記電子内視鏡は、用途等により、その挿入部の長さが異なるものを同一の制御装置に交換接続して用いることがある。ところが、各内視鏡の挿入部長が異なると、固体撮像素子と制御装置間を接続する信号ケーブル長が異なる。このように、信号ケーブル長が異なると、固体撮像素子駆動パルスや固体撮像素子出力信号の伝送中の波形劣化や位相ずれが、内視鏡毎に異なり、同一の信号処理を行った場合、画質が劣化する場合がある。
　そのため、従来は、例えば、・・・内視鏡側に調整回路を設けていた。」（第１頁右下欄第２０行〜第２頁左上欄第１２行）こと、「本発明は、上記事情に鑑みてなされたものであり、簡単な構成で、内視鏡内の信号ケーブル長の差異を補正でき、画質の劣化を防止できる内視鏡装置を提供することを目的としている。」（第２頁左上欄第２０行〜同頁右上欄第３行）こと、「第１図ないし第１０図は本発明の第１実施例に係り、第１図は内視鏡装置の構成を示すブロック図、第２図は切換回路の構成を示す回路図、第３図は内視鏡装置の全体を示す側面図、・・・、第５図は内視鏡挿入部先端部の正面図」（第２頁左下欄第７〜１２行）であること、「第３図に示すように、内視鏡装置１は、電子内視鏡２と、この電子内視鏡２とコネクタ３を介して接続される制御装置４と、この制御装置４に接続される表示装置としてのカラーモニタ５とから構成されている。」（第２頁左下欄第１８行〜同頁右下欄第２行）こと、「前記プリント基板３６は、挿入部６の先端側に延出され、この延出部３６ａ上に、固体撮像素子３５の駆動電子部品であるＩＣ４８，抵抗４９，コンデンサ５０等が装着されている。また、前記プリント基板３６の延出部３６ａの先端部は、先端構成部２１に設けられたスリット５１に挿入され、前記固体撮像素子３５を合焦点位置に位置調整した状態で、この先端構成部２１の外周側から螺入されたネジ５２によって、この先端構成部２１に固定されている。また、前記プリント基板３６の後端部には、信号ケーブル５５が接続され、プリント基板３６上の配線を介して、この信号ケーブル５５と、前記固体撮像素子３５，電子部品４８，４９，５０等が接続されている。
　前記信号ケーブル５５は、前記挿入部６及びユニバーサルコード８内に挿通され、前記コネクタ３に接続されている。」（第３頁左下欄第１４行〜同頁右下欄第１０行）こと、「ところで、本実施例では、第１図に示すように、電子内視鏡２内に、内視鏡の種類を示す識別用抵抗７０が設けられ、この識別用抵抗７０は、前記ユニバーサルコード８内に挿通されたケーブル７１を介して前記コネクタ３に接続されている。
　一方、前記制御装置４は、例えば、挿入部６の長さが異なり、その結果、前記信号ケーブル５５の長さの異なる複数種の電子内視鏡２を交換して接続できるようになっており、第１図に示すように構成されている。
　すなわち、制御装置４は、光源装置７２を備え、この光源装置７２から出射された照明光は、コネクタ３を介して接続された電子内視鏡２のライトガイドファイバ６２に入射されるようになっている。そして、このライトガイドファイバ６２によって先端部１１側に導かれて出射端から出射され、照明光学系６１を通って被写体に照射されるようになっている。
　また、前記制御装置４には、前記コネクタ３を介して、前記電子内視鏡２内の識別用抵抗７０に接続され、接続される内視鏡の種類を判別する判別回路７４と、前記コネクタ３を介して、電子内視鏡２内の信号ケーブル５５に接続されると共に、前記判別回路７４からの判別信号によって制御され、接続される内視鏡の種類による前記信号ケーブル５５の長さの差を整合する切換回路７５と、この切換回路７５に接続され、固体撮像素子３５に駆動信号を印加すると共に、前記固体撮像素子の出力信号を映像信号処理する固体撮像素子制御回路７６とが設けられている。
　前記判別回路７４は、例えば、電子内視鏡２内の識別用抵抗７０に定電流を流し、その抵抗値を端子間電圧として検出することによって、内視鏡の種類を識別できるようになっている。
　また、前記切換回路７５は、例えば、第２図に示すように構成されている。」（第４頁右上欄第８行〜同頁右下欄第３行）こと、「一方、前記アナログスイッチ７８の各回路の各切換接点７８ｂには、長さの異なる複数の補正用ケーブル７９の一端が接続されている。前記各補正用ケーブル７９の他端は、前記固体撮像素子制御回路７６に接続されている。前記補正用ケーブル７９としては、前記信号ケーブル５５と同一種類のケーブルが用いられ、前記信号ケーブル５５との実質的な長さの和が、制御装置４に接続される内視鏡の種類によらず、略所定の値になるような長さのケーブルが用意されている。そして、前記判別回路７４からの判別出力（電圧）が前記オペアンプ７７によってデジタルの切換信号に変換され、この切換信号に応じて、前記アナログスイッチ７８によって、これらの補正用ケーブル７９の中から１本のケーブルが、前記信号ケーブル５５と固体撮像素子制御回路７６とを接続する接続ケーブル８０として自動的に選択され、前記固定接点７８ａに接続されるようになっている。この選択される接続ケーブル８０としては、この接続ケーブル８０と接続される電子内視鏡２内の信号ケーブル５５と、この接続ケーブル８０との実質的な長さの和が、制御装置４に接続される内視鏡の種類によらず、略所定の値になるような長さのケーブルが選択される。」（第４頁右下欄第２０行〜第５頁右上欄第４行）こと、「第１１図及び第１２図は本発明の第２実施例に係り、第１１図は内視鏡装置の構成を示すブロック図、第１２図は内視鏡装置の全体を示す側面図である。
　本実施例は、内視鏡として、電子内視鏡２ではなく、肉眼観察が可能な内視鏡の接眼部に外付テレビカメラを取付けたものを用いた場合の例である。
　第１１図に示すように、内視鏡（ファイバスコープ）１２１は、先端部１１内に、対物光学系１２２が設けられ、この対物光学系１２２の結像位置には、挿入部６内に挿通された像伝達手段としてのイメージガイドファイバ１２３の先端面が配置されている。また、操作部７の後端には、接眼部１２４が設けられ、この接眼部１２４に目を近付けることにより、前記イメージガイドファイバ１２３の後端面に対向して配設された接眼レンズ１２５を介して、被写体像を肉眼観察できるようになっている。
　また、前記接眼部１２４には、外付テレビカメラ１３１が着脱自在に取付けられている。このテレビカメラ１３１は、前記接眼部１２４に対向するように配設されたコンバーションレンズ１３２と、このコンバーションレンズ１３２の結像位置に配設された固体撮像素子１３３とを備えている。そして、前記内視鏡１２１の対物光学系１２２によってイメージガイドファイバ１２３の先端面に結像された被写体像は、このイメージガイドファイバ１２３で前記接眼部１３１に導かれ、接眼レンズ１２５、前記テレビカメラ１３１のコンバーションレンズ１３２を介して、前記固体撮像素子１３３に結像される。
　前記テレビカメラ１３１には、側方に信号ケーブル１３５が延設され、この信号ケーブル１３５の先端にコネクタ１３６が設けられている。前記固体撮像素子１３３は、前記信号ケーブル１３５内に挿通された信号ケーブル１３７を介して、前記コネクタ１３６に接続されている。
　また、前記テレビカメラ１３１内には、識別用抵抗７０が設けられ、この識別用抵抗７０は、前記信号ケーブル１３５内に挿通されたケーブル１３８を介して、前記コネクタ１３６に接続されている。
　制御回路４の構成は、第１図に示す第１実施例と同様であり、前記コネクタ１３６を、この制御装置４の信号用コネクタ受けに接続することにより、前記固体撮像素子１３３が切換回路７５に接続されると共に、前記識別用抵抗７０が判別回路７４に接続されようになっている。
　尚、前記内視鏡１２１の挿入部６及びユニバーサルコード８内には、ライトガイドファイバ６２が挿通され、このライトガイドファイバ６２の基端は、前記ユニバーサルコード８の先端に設けられた光源用コネクタ１３９に接続されている。そして、この光源用コネクタ１３９を前記制御装置４の光源用コネクタ受けに接続することにより、前記ライトガイドファイバ６２に、制御装置４内の光源装置７２から出射された照明光を供給できるようになっている。
　その他の構成は、第１実施例と同様である。
　本実施例によれば、肉眼観察が可能な内視鏡１２１に外付テレビカメラ１３１を装着して観察する場合においても、同一の制御装置４を用いて、調整することなく、同一の信号処理を行うことができる。
　尚、前記制御装置４には、種類の異なる外付テレビカメラ１３１を交換接続できると共に、前記外付テレビカメラ１３１と、第１実施例に示す電子内視鏡２とを交換接続できることは言うまでもない。」（第７頁左上欄第１４行〜第８頁左上欄第３行）ことが記載されている。
イ．上記刊行物２には、「内視鏡装置」（発明の名称）に関し、「挿入部の先端側に固体撮像素子が配設され、挿入部の長さが異る少なくとも２種類の電子スコープと、前記電子スコープを着脱自在とし、前記固体撮像素子に信号読出し用駆動信号を印加する手段及び前記固体撮像素子から読出された出力信号を映像処理する手段を収納したカメラコントロールユニットとを備えた内視鏡装置において、前記固体撮像素子と前記カメラコントロールユニットとの間の信号ケーブルの長さを全ての電子スコープに対して等しくしたことを特徴とする内視鏡装置。」（第１頁特許請求の範囲）であり、「［従来の技術］・・・上記電子スコープは、使用される用途に応じ、体腔内とか管腔内に挿入可能とされる挿入部の長さが異っている。このため挿入部内と、この挿入部の後端側から延設されたユニバーサルコード内を挿通され、ビデオプロセッサあるいはカメラコントロールユニット等に至る信号ケーブルの長さも異っていた。
　上記信号ケーブルの長さが異ると、該信号ケーブル全体の抵抗値が異り、そのためＳＩＤの出力ゲインに差異が生じたり、Ｓ／Ｎにばらつきが生じたり、ケーブル端部のインピーダンスが異るため、ケーブル端部をカメラコントロールユニットに接続した場合、反射による波形のみだれが生じたり、カメラコントロールユニットからのＳＩＤ駆動パルスの遅れ量に差が生じたり、ＳＩＤからの映像出力信号の遅れ量に差が生じたりする。」（第１頁右下欄第１行〜第２頁左上欄第８行）こと、「第１図に示すように第１実施例の内視鏡装置１は、長さの異る挿入部２ａ，２ｂをそれぞれ有する電子スコープ３ａ，３ｂと各電子スコープ３ａ又は３ｂと、それぞれ接続できるコネクタ受け４を有し、信号処理手段を収納したカメラコントロールユニット（又はビデオプロセッサユニット）５と、このカメラコントロールユニット（以下ＣＣＵと記す）５から出力される映像信号を取込み、カラー表示するカラーモニタ６とからなる。
　上記電子スコープ３ａ（又は３ｂ）は、体腔内とか管腔内等に挿入できるように細長にされた挿入部２ａ（又は２ｂ）と、該挿入部２ａ（又は２ｂ）の後端に連設された太幅の操作部７と、操作部７から延出されたユニバーサルコード８ａ（又は８ｂ）とからなる。
　上記挿入部２ａ（又は２ｂ）の先端側には対象物を結像するための対物レンズ９が配設され、この対物レンズ９の焦点面にはＣＣＤ等の固体撮像素子（以下ＳＩＤと記す。）１１の撮像面（受光面）が臨むように配置されている。この対物レンズ９とＳＩＤ１１とで撮像手段が構成されている。つまり対物レンズ９によって、対象物の光学像がＳＩＤ１１の撮像面に結ばれ、この撮像面に結ばれた光学像は光電変換されて電気信号になる。
　各ＳＩＤ１１には、該ＳＩＤ１１に信号読出しのための駆動パルスを印加する駆動パルス伝送用とＳＩＤ１１から読出された出力信号を伝送する出力信号伝送用と、ＳＩＤ１１に電力を供給する給電用とのために複数の信号ラインからなる信号ケーブルの一端が接続されている。しかして、各電子スコープ３ａ（又は３ｂ）の挿入部２ａ（又は２ｂ）内及びユニバーサルコード８内を挿通された信号ケーブル１２ａ（又は１２ｂ）の他端は、上記コネクタ受け４に接続できるコネクタ１３における複数のピン状端子１４，１４，・・・，１４に接続してある。」（第２頁右上欄第１９行〜同頁右下欄第１４行）こと、「上記２つの電子スコープ３ａ，３ｂ内の信号ケーブル１２ａ及び１２ｂは、各信号ライン毎に上記特性インピーダンスＺ０が等しいものが用いられ、且つその減衰定数等についても等しいものが用いてあると共に、信号ケーブル１２ａ，１２ｂの全長を等しくしてあることがその特徴になっている。上記内側導体１６の外表面及び外側導体１７の内側表面は銀メッキ等して高周波ロス成分を小さくしている。
　上記両電子スコープ３ａ，３ｂでは挿入部２ａ，２ｂの長さが異るので、第１実施例のようにユニバーサルコード８ａ，８ｂを両者で等しくすると、挿入部２ａ，２ｂ内を挿通した状態と同様にユニバーサルコード８ａ，８ｂ内を挿通すると、信号ケーブル１２ａ，１２ｂの全長は異ってしまうが、ユニバーサルコード８ａ，８ｂ内での挿通状態を異るようにすることによって、両信号ケーブル１２ａ，１２ｂの長さを等しくしている。」（第３頁左上欄第７行〜同頁右上欄第４行）こと、「第１４図は本発明の第９実施例を示す。
　この第９実施例は、ファイバスコープ１１１の接眼部１１２にテレビカメラ１１３を装着したテレビカメラ付きファイバスコープに適用したものである。
　上記ファイバスコープ１１１は挿入部１１４内に像伝送手段としてイメージガイド１１５とライトガイド１１６が挿通されている。このイメージガイド１１５は、対物レンズ１１７で入射端面に結像された光学像を接眼部側端面に伝送し、接眼レンズ１１８を経て通常は肉眼観察できる。上記ライトガイド１１６はユニバーサルコード１１９を経てＣＣＵ１２１内の光源装置から照明光が供給される。
　上記接眼部１１２に装着されるテレビカメラ１１３は、拡大レンズ１２２を経て、イメージガイド１１５で伝送された光学像をＳＩＤ１２３に結像する。このテレビカメラ１１３から延出された信号ケーブル１２４は、カールコード１２５内を通され、ＣＣＵ１２１に接続される。この信号ケーブル１２４を内装したカールコード１２５は、上記各実施例の電子スコープ３ａ，３ｂ等の信号ケーブル１２ａ，１２ｂの全長と等しくしてある。このように信号ケーブル１２４の長さを他の電子スコープのものと等しくすることによって、共通のマッチング回路を用いることができるし、出力特性を均一化できる。」（第７頁左上欄第１７行〜同頁左下欄第３行）ことが記載されている。
（３）対比・判断
　本件発明と刊行物１に記載の発明とを対比すると、刊行物１に記載の外付テレビカメラ１３１は、内視鏡の接眼部１２４に取り付けたもので、本件発明の撮像素子に相当する固体撮像素子１３３を備えている部分は本件発明のヘッド部に相当し、コネクタ１３６は本件発明のコネクタ部に相当し、信号ケーブル１３５は本件発明のケーブル部、信号ケーブル１３７は本件発明の複数の駆動側信号線および出力側信号線にそれぞれ相当するので、全体として、本件発明の内視鏡用外付けテレビジョンカメラに相当する。また、刊行物１に記載のものは、種類の異なる外付テレビカメラ１３１を交換接続できるものであり、この種類としては、例えば、信号ケーブルの長さが異なるものであるので、刊行物１に記載のものは、本件発明の第１の内視鏡用外付けテレビジョンカメラに相当するものの他に、第１の内視鏡用外付けテレビジョンカメラとは信号ケーブル部に相当する部分の長さが異なる、即ち、この部分の長さが短いか又は長い第２の内視鏡用外付けテレビジョンカメラに相当するものを備えている。また、刊行物１に記載の制御装置４内の固体撮像素子制御回路７６は固体撮像素子の出力を映像信号処理するものであるので、本件発明のビデオプロセッサに相当する。
　すると、両者は、「内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設するケーブル部と、を有する第１の内視鏡用外付けテレビジョンカメラと、
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、前記第１の内視鏡用外付けテレビジョンカメラの前記ケーブル部より長さの短いケーブル部を有する、前記第１の内視鏡用外付けテレビジョンカメラとは異なる第２の内視鏡用外付けテレビジョンカメラと、
を有し、前記第１または第２の内視鏡用外付けテレビジョンカメラを共通のビデオプロセッサに選択的に接続して使用することを特徴とする内視鏡システム。」において一致し、本件発明では、第２の内視鏡用外付けテレビジョンカメラが駆動側信号線または出力側信号線の少なくとも一方の信号線の長さを第１の内視鏡用外付けテレビジョンカメラ内に設けられた長さと同一の長さとして前記ケーブルの内部に配設しているのに対して、刊行物１に記載の発明では、ケーブル部の長さが短い第２の内視鏡用外付けテレビジョンカメラに対して、制御装置４内に補正用ケーブルを設けることにより、ビデオプロセッサとの間の信号線の長さを、第１の内視鏡用外付けテレビジョンカメラを用いた場合と同一の長さになるようにしている点で相違する。
　しかしながら、刊行物２に記載の発明には、内視鏡において信号線の長さの相違による影響を解消するために、外付けテレビジョンカメラ等の長さの違いに関わらず、外付けテレビジョンカメラ等の固体撮像素子とビデオプロセッサとを結ぶ信号線の長さを同一にすること、すなわち、固体撮像素子からビデオプロセッサ側に接続するためのコネクタ部までをたとえ短く結線できるとしても、長い方に合わせるようにして信号ケーブルの長さを等しくするという技術思想が記載されている。
　刊行物１に記載の発明と刊行物２に記載の発明とは、固体撮像素子とビデオプロセッサとを結ぶ信号線の長さを同一にしようとする点で軌を一にしており、刊行物１に記載の発明のように、固体撮像素子とコネクタ部とは異なる長さの信号線のままで用いるとともに、コネクタ部からビデオプロセッサまでの信号線の長さを調節して同一の長さとするか、刊行物２に記載の発明のように、固体撮像素子とコネクタ部とは同一の長さの信号線を用いるように調節するとともに、コネクタ部からビデオプロセッサまでの信号線の長さを固定とするかは、当業者が適宜選択しうることと認められるから、刊行物１に記載された発明の第２の内視鏡用外付けテレビジョンカメラの固体撮像素子とビデオプロセッサとを結ぶ信号線の長さを同一にするために、第２の内視鏡用外付けテレビジョンカメラ内の信号線の長さ（固体撮像素子とビデオプロセッサ側に接続されたコネクタまでの信号線の長さ）を第１の内視鏡用外付けテレビジョンカメラ内に設けられた信号線の長さと同一の長さとすること、及びこれをケーブルの内部に配設することは、当業者が容易に想到しうるものと認められる。
　そして、本件発明の作用効果についてみても、刊行物１及び２に記載された発明から当業者が容易に予測しうる範囲をでない。
　なお、特許権者は、刊行物１に記載の発明に刊行物２に記載の発明を組合わせたとしても、刊行物２に記載の発明は、信号線の長さを等しくしたにすぎず、内視鏡用外付けテレビジョンカメラの種類によってケーブルの長さに相違がある点、及びこのケーブル長さの相違に起因する信号遅延の問題点を解決することについて考慮されていないから、当業者といえども、本件発明を容易に想到することはできないと主張するが、刊行物１には、種類の異なる外付けテレビジョンカメラを使用することが記載されており、種類の異なる外付けテレビジョンカメラには当然そのケーブルの長さが相違するものも含まれ、そのような場合でもケーブルの全長を同一にすることが開示されていると認められるから、内視鏡用外付けテレビジョンカメラの種類によってそのケーブルの長さに相違がある点、及びこのケーブル長さの相違に起因する信号遅延の問題があることは、刊行物１に開示されている。
　また、刊行物１に記載された解決手段と刊行物２に記載された解決手段は、当業者にとっては容易に置換可能であると認められるから、特許権者の主張は採用できない。
（むすび）
　以上のとおり、本件発明は、その出願前に頒布された上記刊行物１及び２に記載された発明に基づいて当業者が容易に発明をすることができたものであるから、本件発明についての特許は、特許法第２９条第２項の規定により特許を受けることができない。
　したがって、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１２年１１月１４日（２０００．１１．１４）
【訂正の要旨】
　特許第２９６７８３１号発明の明細書を、本件の平成１２年９月２５日付け訂正請求書に添付された訂正明細書のとおりに、すなわち特許請求の範囲の減縮を目的として下記（１）のとおりに、また、明瞭でない記載の釈明を目的として下記（２）のとおりに訂正する。
（１）特許請求の範囲の請求項１の「被写体像を電気信号に変換して出力する撮像素子を有するヘッド部」を「内視鏡の接眼部からの被写体像を電気信号に変換して出力する撮像素子を有するヘッド部」に、また「前記第１の内視鏡用外付けテレビジョンカメラのケーブル部より長さの短いケーブル部を有すると共に、前記駆動側信号線または出力側信号線の少なくとも一方の信号線の長さを前記第１の内視鏡用外付けテレビジョンカメラ内に設けられた長さと同一の長さとして内部に配設した第２の内視鏡用外付けテレビジョンカメラ」を「内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、前記第１の内視鏡用外付けテレビジョンカメラの前記ケーブル部より長さの短いケーブル部を有すると共に、前記駆動側信号線または出力側信号線の少なくとも一方の信号線の長さを前記第１の内視鏡用外付けテレビジョンカメラ内に設けられた長さと同一の長さとして前記ケーブルの内部に配設した、前記第１の内視鏡用外付けテレビジョンカメラとは異なる第２の内視鏡用外付けテレビジョンカメラ」に訂正する。
（２）明細書における発明の詳細な説明の欄、明細書第７頁第１行〜同頁第１１行（特許公報第２頁第４欄第３２〜５０行）の「本発明による〜ことを特徴とする。」を「本発明による内視鏡システムは、内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線とビデオプロセッサ側に接続するためのコネクタ部と、前記ヘッド部と前記コネクタ部とを接続し前記駆動側信号線および出力側信号線を内部に配設するケーブル部と、を有する第１の内視鏡用外付けテレビジョンカメラと、
　内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、前記第１の内視鏡用外付けテレビジョンカメラの前記ケーブル部より長さの短いケーブル部を有すると共に、前記駆動側信号線または出力側信号線の少なくとも一方の信号線の長さを前記第１の内視鏡用外付けテレビジョンカメラ内に設けられた長さと同一の長さとして前記ケーブルの内部に配設した、前記第１の内視鏡用外付けテレビジョンカメラとは異なる第２の内視鏡用外付けテレビジョンカメラと、
　を有し、前記第１または第２の内視鏡用外付けテレビジョンカメラを共通のビデオプロセッサに選択的に接続して使用することを特徴とする。」に訂正する。
（５４）【発明の名称】
内視鏡システム
（５７）【特許請求の範囲】
　
内視鏡の接眼部からの
　
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
、前記第１の内視鏡用外付けテレビジョンカメラとは異なる
　を有し、前記第１または第２の内視鏡用外付けテレビジョンカメラを共通のビデオプロセッサに選択的に接続して使用することを特徴とする内視鏡システム。
【発明の詳細な説明】
［産業上の利用分野］
　本発明はケーブル長補正が行われた内視鏡システムに関する。
［従来技術］
　近年、細長の挿入を体腔内に挿入して観察や処置を行う内視鏡が広く用いられている。この内視鏡のシステムは第１２図に示すようにファイバスコープ１とビデオスコープ２に大別され、近年は撮像素子の発達に伴い前記ビデオスコープ２が広く用いられている。しかし、細径の内視鏡では撮像素子の大きさから挿入部内に配設するには限界があり、ファイバスコープ１が主流である。
　第１２図において、内視鏡システムを説明する。上記ファイバスコープ１及びビデオスコープ２は細長の挿入部３を備え、挿入部３の後端部に操作部４が連設されている。操作部４には挿入部３に設けられた図示しない湾曲部を湾曲させるための湾曲操作ノブ６が設けられている。更に、操作部４にはユニバーサルケーブル７が延出されている。ユニバーサルケーブル７の端部には光源コネクタ８が設けられており、光源装置９と着脱自在に接続されて光源装置９の出力する照明光を供給されるようになっている。尚、ファイバスコープ１の操作部４には接眼部１１が設けられており、挿入部３の先端部に設けられた図示しない観察窓より得られた被写体像を肉眼観察できるようになっている。この接眼部１１にはビデオコンバータ１２が着脱自在に接続できるようになっている。ビデオコンバータ１２には後端部にコネクタ１２ａが設けられたケーブル１２ｂが延出している。コネクタ１２ａはビデオプロセッサ１３に着脱自在に接続されるようになっている。尚、上記ビデオコンバータ１２はファイバスコープ１をビデオスコープ２用のコントローラであるビデオプロセッサ１３に接続し、ビデオスコープ２のシステムの使用を可能とする一種の外付けテレビジョンカメラである。ビデオコンバータ１２のヘッド部１２ｃには図示しない撮像素子が設けられており、接眼部１１から得られる被写体像を電気信号に変換してビデオプロセッサ１３に出力するようになっている。
　また、ビデオスコープ２の光源コネクタ８にはスコープケーブル１４が接続されるようになっており、スコープケーブル１４は前記ビデオプロセッサ１３に接続されてビデオスコープ２の挿入部３の先端部に設けられた図示しない撮像素子の出力する電気信号をビデオプロセッサ１３に出力するようになっている。
　上記ビデオプロセッサ１３にはモニタ１６が接続され、ファイバスコープ１及びビデオスコープ２から得られた被写体像を画面上に表示するようになっている。
　上記ビデオスコープ２とビデオコンバータ１２に設けられた撮像素子には被写体像が結像するようになっており、これによって電荷を蓄積する。蓄積された電荷はビデオプロセッサ１３内に設けられた図示しない駆動回路から出力され、信号伝送用電線を伝送された駆動パルスを受けて読み出されてビデオプロセッサ１３内の図示しない映像信号処理回路で信号処理されてビデオ信号が生成されて前記モニタ１６に出力される。
　ところで、上記信号伝送用電線の長さが長くなると駆動パルスの波形が劣化して撮像素子が正確に駆動されない場合がある。
　また、撮像素子からの映像信号が遅延して映像処理回路のホールドするタイミングから外れ、正確な連続的な信号が得られないようになる。
　更に、ビデオプロセッサ１３には挿入部３の長さによって様々な電線長さを持つビデオスコープ２や様々なケーブル１２ｂの長さを持つビデオコンバータ１２が接続されるため、接続側あるいはビデオプロセッサ１３側で何等かの電線長さの補正が必要になる。
　上記問題を解決するために特開昭６３−２３０１４４号公報では各種のビデオスコープ類のケーブル長さをグループ化してスコープ側に識別抵抗を設けてグループを識別させ、識別されたグループに対応して駆動パルスに微分成分を付加し、映像信号を遅延されたタイミングでクランプする技術が示されている。また、遅延の方法としては特開昭６２−２６８０号公報に撮像素子からの映像信号から撮像素子のドライブクロックパルスを抽出し、このパルスで映像信号をサンプルホールドする技術が示されている。
［発明が解決しようとする課題］
　上記特開昭６３−２３０１４４号公報に示すような内視鏡内にグループ識別用抵抗を設け、ビデオプロセッサ側で、その抵抗を検出してグループを識別し、これに基づいてサンプルホールド、クランプ、Ａ／Ｄ変換のタイミングを自動的に切換える技術では遅延回路全体が複雑なために高価となり、調整も困難である欠点がある。
　また、遅延ケーブルを用いることも考えられるが、この場合、遅延特性を合わせるためにケーブルが太くなったりする欠点があり、且つ、２倍、３倍といったレベルの遅延特性をケーブルに持たせることが技術的に困難であり、設計が制限されていた。
　本発明は上記の事情に鑑みてなされたものであり、安価で調整が容易であり、遅延特性の大きいケーブル長さ補正手段を有する内視鏡システムを提供することを目的とする。
［課題を解決するための手段］
　本発明による内視鏡システムは、
内視鏡の接眼部からの
　
内視鏡の接眼部からの被写体像を電気信号に変換して出力する撮像素子を有するヘッド部と、前記撮像素子に接続された前記撮像素子を駆動するための複数の駆動側信号線および前記撮像素子から出力される出力信号のための複数の出力側信号線をビデオプロセッサ側に接続するためのコネクタ部と、前記ヘッド部と前記コネクタ部とを接続し前記駆動側信号線および出力側信号線を内部に配設した、
前記
前記ケーブルの
、前記第１の内視鏡用外付けテレビジョンカメラとは異なる
　を有し、前記第１または第２の内視鏡用外付けテレビジョンカメラを共通のビデオプロセッサに選択的に接続して使用することを特徴とする。
［作用］
　上記の構成によって本発明ではケーブル内を配設され、ケーブルより長い駆動用信号線あるいは出力用信号線のいずれか一方の信号線はケーブル長さの補正機能を備える。
［実施例］
　以下、図面を参照して本発明の実施例を具体的に説明する。
　第１図ないし第１０図は本発明の第１実施例に係り、第１図は外付けＴＶカメラの電線の構成を示す説明図、第２図は外付けＴＶカメラのケーブルの断面図、第３図は内視鏡装置の構成を示すブロック図、第４図は固体撮像素子の構成の説明図、第５図は水平転送クロックの波形の説明図、第６図は固体撮像素子の動作の説明図、第７図は照明光と垂直転送クロックとのタイミングの説明図、第８図は外付けＴＶカメラの断面図、第９図は外付けＴＶカメラの使用状態の説明図、第１０図は外付けＴＶカメラの撮像素子が動いた場合の説明図である。
　なお、従来技術と同様の構成部材には同一符号を付けて説明を省略する。
　第３図において、ファイバスコープ１に接続された外付けテレビジョンカメラ（以下、外付けＴＶカメラと略記する。）１８について述べる。
　上記ファイバスコープ１の先端部には対物レンズ系２１とライトガイド２２の出射端面が設けられている。対物レンズ系２１の後方にイメージガイド２３の入射端面が設けられており、この入射端面に対物レンズ系２１によって被写体像が結像するようになっている。イメージガイド２３は接眼部１１に至るように配設され、イメージガイド２３を伝達された被写体像は接眼レンズ２４を経て、外付けＴＶカメラ１８の結像レンズ系２６によってＴＶカメラ１８内に設けられた固体撮像素子２７の撮像面に結像するようになっている。また、前記ライトガイド２２はユニバーサルケーブル７内を挿通されて、光源装置９に接続されるようになっている。
　上記光源装置９は面順次式のものであり、白色光を出射するランプ２８と、赤（Ｒ），緑（Ｇ），青（Ｂ）の３原色の色透過フィルタを有しモータ２９によって回転駆動される回転フィルタ３１とを備えている。そして、前記ランプ２８から出射された白色光は、前記回転フィルタ３１を透過して順次Ｒ，Ｇ，Ｂの各波長の照明光にされた後、集光レンズ３２によって集光され、ライトガイド２２の入射端面に照明光を供給するようになっている。
　上記外付けＴＶカメラ１８のヘッド部１２ｃ内に設けられた固体撮像素子２７は信号線（Ｖ　ＤＤ）３３と、信号線（φｐ）３４と、信号線（φＳ１）３５と、信号線（φＳ２）３６と出力バッファ３７、３８とに接続されている。また、出力バッファ３７、３８は信号線（Ｖ　ＯＵＴ１）４１、信号線（Ｖ　ＯＵＴ２）４２に接続されている。信号線３３、３４、３５、３６、４１、４２はケーブル１２ｂ内を挿通されてコネクタ１２ａを介してビデオプロセッサ１３内の各回路に接続されている。すなわち、信号線３３はＣＣＤおよび出力バッファ用電源４３に接続され、信号線３４はマッチング回路４４に接続され、信号線３５はマッチング回路４５に接続され、信号線３６はマッチング回路４６に接続され、信号線４１、４２は加算器４７に接続されている。
　上記マッチング回路４４、４５、４６は信号線３４、３５、３６を伝送される駆動パルスφＳ１、φＳ２、φｐ　の波形の劣化を補償するためにパルスの立ち上り部分に微分成分を付加するようになっている。マッチング回路４４、４５、４６はドライブ回路４８、４９、５０を介してドライブ信号発生回路５２に接続されており、ドライブ信号発生回路５２はマッチング回路４４に垂直転送クロックφｐ　を、マッチング回路４５に水平転送クロックφＳ１を、マッチング回路４６に水平転送クロックφＳ２を各々出力するようになっている。なお、水平転送用クロックのφｓ１とφｓ２とはタイミング的に半画素分位相がずれている。
　上記加算器４７は信号線４１、４２から得られた電気信号Ｖ　ＯＵＴ１、Ｖ　ＯＵＴ２を加算して、電気信号Ｖ　Ａ　をビデオプロセス回路５３に出力するようになっている。ビデオプロセス回路５３は標準的なビデオ信号を生成してモニタ１６に出力するようになっている。
　尚、上記固体撮像素子２７は第４図に示すように構成されている。
　同図において、固体撮像素子２７はマトリクス状に配置された複数の画素５４、５４、…と、この複数の画素５４、５４、…より転送される信号電荷を出力する水平シフトレジスタＨ１　５６と、水平シフトレジスタＨ２　５７とからなっている。　前記垂直転送クロックφｐ　は複数の画素５４、５４、…に蓄積された信号電荷を１垂直下に移動するようになっており、前記水平転送クロックφＳ１は水平シフトレジスタＨ１　５６に移動した信号電荷を出力させ、前記水平転送クロックφＳ２は水平シフトレジスタＨ２　５７に移動した信号電荷を出力させるようになっている。出力された信号電荷はＶ　ＯＵＴ１、Ｖ　ＯＵＴ２として出力バッファ３７、３８に入力されるようになっている。この出力バッファ３７、３８は電気信号Ｖ　ＯＵＴ１、Ｖ　ＯＵＴ２を電流増幅（例えばトランジスタのエミッタフォロア）してビデオプロセッサ１３の加算器４７に出力するようになっている。
　第８図において、外付けＴＶカメラ１８のヘッド部１２ｃの構成を説明する。
　ファイバスコープ１の接眼部１１に着脱自在に接続された外付けＴＶカメラ１８には略円筒状に形成された前記ヘッド部１２ｃが設けられている。該ヘッド部１２ｃ内側の一端にはマウント部１１７が固定されており、このマウント部１１７が前記接眼部１１と接続されるようになっている。
　このマウント部１１７の内奥部には接眼部１１の端面に当接するパッキン１１８が固定されている。該パッキン１１８の接眼部１１側には接点ピン１１８ａが突出して設けられており、外付けＴＶカメラ１８が接眼部１１に接続される際に該接点ピン１１８ａが接眼部１１に設けられた接点部１１９に接することにより外付けＴＶカメラ１８と接眼部１１との電気信号の変換が行われるようになっている。
　また、ヘッド部１２ｃ内側のマウント部１１７と反対側の端部にはベース部材１２１が固定されている。該ベース部材１２１のマウント部１１７と反対側の一側はヘッド部１２ｃより突出された筒状部１２１ａが設けられていて、この筒状部１２１ａがヘッド部１２ｃの外周の一端に固定されたカバー１２２にて包囲されている。このカバー１２２は例えば合成樹脂等にて形成されていると共に、その一側に固定部１２２ａが設けられていて、この固定部１２２ａに折止め部材１２２ｂを介してケーブル１２ｂの一端が固定されている。
　一方、上記ベース部材１２１には孔１２１ｂが貫通して形成されている。該孔１２１ｂの軸心は、マウント部１１７に接続される接眼部１１の光軸と一致され、この孔１２１ｂの一端はパッキン１１８の中央部に形成された孔１１８ｂを介して接眼部１１に設けられているカバーガラス１２３に対向されている一方、この孔１２１ｂの他端はペース部材１２１に設けられた筒状部１２１ａを貫通してカバー１２２内に開口されている。この孔１２１ｂのマウント部１１７側にはレンズ枠１２５が光軸方向に摺動自在に配設されている。該レンズ枠１２５には複数のレンズよりなる撮像光学系１２４が接眼部１１の光軸と一致され、且つパッキン１１８の孔１１８ｂに設けられたカバーガラス１２６を介して接眼部１１のカバーガラス１２３に対向された状態で保持されている。そして、ファイバースコープ１から伝達されている光学像が接眼部１１と反対側に結像されるようになっている。
　上記レンズ枠１２５の外周には溝１２５ａが周回形成されていると共にベース部材１２１には溝１２５ａに開口される孔１２７が光軸と直交して貫通形成されており、この孔１２７にロッド１２８が回動自在に配設されている。このロッド１２８の先端部にはロッド１２８の軸心に対して偏心した係合ピン１２８ａが突出形成されており、この係合ピン１２８ａが溝１２５ａに係入されている。
　また、ロッド１２８の外周には凹部１２８ｂが周回形成され、この凹部１２８ｂに前記ベース１２１の筒状部１２１ａ側から螺入されたビス１２９の先端部が係合されることによりロッド１２８が抜止めされている。
　更に、溝１２５ａの両側には溝１２５ｂ、１２５ｂが周囲形成されていると共に、該溝１２５ｂ、１２５ｂにはＯリング１２５ｃ、１２５ｃが設けられている。このＯリング１２５ｃはベース部材１２１とレンズ枠１２５との間に生じるガタを吸収するようになっている。すなわち、レンズ枠１２５がペース部材１２１に摺動自在に設けられているために多少のガタがある。このガタがあると第９図に示す矢印方向に実使用中に操作部４が動いた場合、レンズ枠１２５がベース部材１２１内で動き、第１０図で示すようにモニタ１６の画面上で芯ずれ７６が起こり、画像の一部が欠落する状態が発生する。Ｏリング１２５ｃはレンズ枠１２５がベース部材１２１内で移動すること規制し、モニタ画像の欠落を防止するようになっている。
　上記ロッド１２８の係合ピン１２８ａと反対側の端部はヘッド部１２ｃに穿設された孔１２７を介して該ヘッド部１２ｃの外側へ突出されている。この孔１２７とロッド１２８との間にはＯリング１３１が配設されていて、ヘッド部１２Ｃの外側より液体等が侵入することが防止されている。
　また、上記ロッド１２８のヘッド部１２ｃより突出された部位には操作部材１３２が設けられている。そして、この操作部材１３２を指等で操作して上記ロッド１２８を回動させると、偏心して設けられた係合ピン１２８ａがレンズ枠１２５に形成された溝１２５ａの側面を押圧することにより、レンズ枠１２５が光軸に沿って移動されるようになっている。
　その結果、上記レンズ枠１２５に固定された撮像光学系１２４が移動され、撮像光学系のピント調整ができるようになっている。
　ところで、上記ベース１２１の筒状部１２１ａ内には円筒状に形成された位置調整部材１３４を介してユニット筒１３５が固定されている。位置調整部材１３４はねじ１３４ｂを介して光軸方向１に移動可能に固定されていると共にユニット筒１３５の外周には光軸と上記撮像光学系１２４による結像面との交点を中心とする球面部１３５ａが形成されていて、該球面部１３５ａが上記位置調整部材１３４に形成された球状の凹部１３４ａに係合されることによりユニット筒１３５が固定されている。
　更に、このユニット筒１３５の中心軸は光軸と略一致されていると共に、該ユニット筒１３５には軸方向に孔１３５ｂが形成されていて、この孔１３５ｂ内に形成された保持部１３５ｃにリレーレンズ１４１に連設された固体撮像素子２７が固定されている。
　また、上記孔１３５ｂの固体撮像素子２７より撮像光学系１２４側には保持部１３７が形成されており、この保持部１３７に複数のローパスフィルタ１３８が接着剤等により固定されている。
　上記固体撮像素子２７のローパスフィルタ１３８と反対側には電子回路が設けられた回路ユニット１４４がシールド部材１４２を介して連設されており、この回路ユニット１４４にケーブル１４３の一端が接続されている。また、このケーブル１４３の回路ユニット１４４近傍は筒状部１２１ａに固定された保持部材１４５にて固定されていて、このケーブル１４３と回路ユニット１４４との接続が解除されないように配慮されている。
　上記ケーブル１４３内には前記信号線３４、３５、３６、４１、４２が挿通されている。該信号線３４、３５、３６、４１、４２はケーブル１２ｂ内では第１図に示すように配設されている。尚、第１図はヘッド部１２ｃ側とコネクタ１２ａ側を結線した状態での概念図である。
　ヘッド部１２ｃに設けられた固体撮像素子２７の駆動側端子には基板５８、出力側端子には出力バッファ３７、３８を含むハイブリットＩＣ５９が半田付けされている。出力側の信号線（Ｖ　ＯＵＴ１）４１と、信号線（Ｖ　ＯＵＴ２）４２と、信号線（Ｖ　ＤＤ）３３は複合ケーブル６１にまとめられて、各信号線４１、４２のケーブル長さは同一となっている。そして、コネクタ１２ａの各端子に接続されている。
　一方、駆動側の信号線（φｐ）３４と、信号線（φＳ１）３５と、信号線（φＳ２）３６とは第２図に断面を示す複合ケーブル６２内に挿通されている。信号線３５は信号線３５ａ、３５ｂ、３５ｃからなり、信号線３６は信号線３６ａ、３６ｂ、３６ｃからなっている。信号線３５を例にとって説明すると信号線３５ａの一方の端部はコネクタ１２ａの接点ピン６３と、他方の端部は基板５８に設けられたランド６４に各々接続されている。また、信号線３５ｂは一方の端部をランドピン６６に、他方の端部を基板５８のランド６４に接続されている。更に、信号線３５ｃは一方の端部をランドピン６６に、他方の端部を固体撮像素子２７のリード６７と直接接続されるランド６８に各々接続されている。信号線３６も図示しないが同様に３回折り返されている。この様に信号線３５、３６は複合ケーブル６２内で他の信号線に比べ３倍のケーブル長さを有することになる。
　尚、第２図において信号線３５、３６は綿糸６９と共に周囲をテープ７１によって巻かれ、テープ７１の周囲をシールド７２によって被覆されている。更に、シールド７２の周囲をシース７３によって覆われている。
　上記のように構成された外付けＴＶカメラ１８の作用を説明する。
　光源装置９のランプ２８から出射された照明光は回転フィルタ３１を透過して順次Ｒ、Ｇ、Ｂの各波長の照明光にされた後、集光レンズ３２によって集光され、ライトガイド２２の入射端面に照射される。照明光はライトガイド２２を伝達されて、被写体に照射される。被写体からの反射光は対物レンズ系２１によってイメージガイド２３の入射端面に結像し、接眼レンズ２４を経て結像レンズ系２６によって固体撮像素子２７の撮像面に結像する。
　一方、ドライブ信号発生回路５２から送出される垂直転送クロックφｐ　と水平転送用クロックφｓ１、φｓ２とは、ドライブ回路４８、４９、５０によって電圧レベルが変更され、マッチング回路４４、４５、４６によって信号線３４、３５、３６の長さにマッチングするようにパルスの立ち上り部分に微分成分が付加さて成形され、信号線３４、３５、３６を介して各々固体撮像素子２７に伝送される。
　第７図に示したように固体撮像素子２７に入射する照明光は、回転フィルタ３１によってＲ，Ｇ，Ｂの各照明光の露光期間と、その間の遮光期間に順次化される。そのうち露光期間に入射した光は固体撮像素子２７を構成する各画素５４、５４、…に電荷として蓄積されるようになっており、遮光期間に読み出されるようになっている。
　固体撮像素子２７は垂直転送クロックφｐ　と水平転送用クロックφｓ１、φｓ２を印加されることによって電気信号Ｖ　ＯＵＴ１，Ｖ　ＯＵＴ２として読み出され、出力バッファ３７、３８によって電流増幅されて信号線４１、４２によってビデオプロセッサ１３に送出され、このビデオプロセッサ１３内で加算器４７によって混合される。この混合された信号Ｖ　Ａ　はビデオプロセス回路５３に送出され、例えば３原色信号Ｒ，Ｇ，Ｂに変換されてモニタ１６に出力されるようになっており、モニタ１６の画面上に被写体像が表示される。
　また、固体撮像素子２７と出力バッファ３７、３８とには制御装置４内に設けられたＣＣＤおよび出力バッファ用電源４３より電圧Ｖ　ＤＤが供給されるようになっている。
　第４図および第６図において、固体撮像素子２７に蓄積された電荷の移動は矢印のように行なわれる。すなわち、垂直転送クロックφｐ　によって１垂直ライン下に移動して順次水平シフトレジスタ５６、５７に移る。そして、互いに半画素位相のずれた水平転送クロックφＳ１，φＳ２によって水平方向に１画素毎に水平シフトレジスタ５６、５７から出力される。この水平シフトレジスタ５６、５７より出力された信号Ｖ　ＯＵＴ１，Ｖ　ＯＵＴ２は出力バッファ３７、３８によって電流増幅される。
　本実施例では信号線（φＳ１）３５と、信号線（φＳ２）３６は他の信号線のように固体撮像素子２７とコネクタ１２ａを直接結ぶのではなく、駆動側の基板５８上のランド６４で折り返し、コネクタ１２ａのランドピン６６で折り返してから固体撮像素子２７に達する。したがって、信号線（φＳ１）３５と、信号線（φＳ２）３６は他の信号線に比べて３倍のケーブル長さを有し、ケーブル長さを補正する。もちろん、折り返しは本実施例のように固体撮像素子２７側で１回、コネクタ１２ａ側で１回に限定されるものではなく、任意の回数の折り返しが可能である。また、必ずしも折り返しの信号がφＳ１、φＳ２に限定されるものではない。
　本実施例ではケーブル長補正の部分が補正を必要としない信号線とケーブルで必然的に同一のシールドに収められるためにノイズ対策上有利である。
　尚、ケーブル１２ｂの長さが異なる複数の外付けＴＶカメラ１８を１台のビデオプロセッサ１３に接続して使用可能とするためにマッチング回路３４、３５、３６の付加する微分成分を最も長いケーブル１２ｂ内の信号線を伝送される駆動パルスを補償できるものとし、短いケーブル１２ｂ内の信号線の長さを最も長いケーブル１２ｂ内の信号線の長さと同一とし、本実施例のようにケーブル１２ｂ内で信号線を折り返すようにしても良い。
　第１１図は本発明の第２実施例に係り、外付けＴＶカメラの電線の構成を示す説明図である。
　本実施例は駆動側の各信号線をコネクタのシールド筒に巻いたものである。尚、第１実施例と同様の構成部材には同一符号を付けて説明を省略する。
　本実施例の外付けＴＶカメラ１８のコネクタ１２ａはビデオプロセッサ１３に着脱自在接続されるコネクタ部８１と、このコネクタ部８１に連設されたシールド筒８２とを備えている。シールド筒８２内にはビデオプロセス回路５３に接続される図示しない複数の接点ピンが設けられており、その後端部をシールド蓋８３によって閉鎖されている。シールド蓋８３には開口部が設けられており、前記図示しない接点ピンに接続された各信号線３４、３５、３６、４１、４２が導出されている。信号線３４、３５、３６、４１、４２のうち、信号線３４、３５、３６で構成する駆動側ケーブル８４はシールド筒８２の外周に複数回巻き付けられて、その後にヘッド部１２ｃに設けられた撮像素子ホルダ８６に保持された撮像ユニット８７に接続されている。この駆動側ケーブル８４の長さは、この駆動側ケーブル８４を伝送されるドライブパルスの波形の劣化をビデオプロセッサ１３のマッチング回路４４、４５、４６で付加される微分成分で補償可能な長さとなっている。
　また、信号線４１、４２で構成する出力側ケーブル８８がシールド筒８２には巻かれずに直接、撮像ユニット８７に接続されている。尚、駆動側ケーブル８４と出力側ケーブル８８は保護チューブ８９によって外周を被覆されている。
　その他の構成および作用は第１実施例と同様である。
　本実施例ではマッチング回路４４、４５、４６でケーブル伝送中の波形の劣化に対応した微分成分がドライブパルスに付加される。波形の劣化は駆動側ケーブル８４の長さによって異なるがマッチング回路４４、４５、４６で付加される微分成分は駆動側ケーブル８４の長さに適合したものとなっている。
　本実施例によれば第１実施例に比べて折り返しの作業が必要ないために組立作業が簡素化することができる。
　その他の効果は第１実施例と同様である。
［発明の効果］
　以上説明したように本発明によれば、ケーブル長さの補正を安価で、容易に調整を行うことができ、遅延特性を大きくすることができる。
【図面の簡単な説明】
　第１図ないし第１０図は本発明の第１実施例に係り、第１図は外付けＴＶカメラの電線の構成を示す説明図、第２図は外付けＴＶカメラのケーブルの断面図、第３図は内視鏡装置の構成を示すブロック図、第４図は固体撮像素子の構成の説明図、第５図は水平転送クロックの波形の説明図、第６図は固体撮像素子の動作の説明図、第７図は照明光と垂直転送クロックとのタイミングの説明図、第８図は外付けＴＶカメラの断面図、第９図は外付けＴＶカメラの使用状態の説明図、第１０図は外付けＴＶカメラの撮像素子が動いた場合の説明図、第１１図は本発明の第２実施例に係り、外付けＴＶカメラの電線の構成を示す説明図、第１２図は従来技術に係り、内視鏡システムの説明図である。
１２ａ…コネクタ
１２ｂケーブル
１２ｃ…ヘッド部
１８…外付けＴＶカメラ
２７…固体撮像素子
３４、３５、３６、４１、４２…信号線
５８…基板
５９…ハイブリットＩＣ